Podtech/llm-jp-corpus-v4-ja_patent huggingface dataset:
(57)【要約】【課題】  従来の家具は子供（家族）の成長と共に不要になり廃棄し必要な物を又新しく買っていた。【解決手段】  不要になった家具を簡単にばらして新しいその時々に必要な家具部材に切断したり補充して新しい家具を作り続けいていくために３方向から穴をあけた部材にする。【選択図】  図１
2007075567.tif 000002
【特許請求の範囲】
【請求項１】
子供（家族）の成長と共に変化しつづける組み立て式家具又はガーデニング用部材で長さ４ｃｍ角の部材は長さ４ｃｍより４ｍ位までで三  方向に穴を開けた部材。
【発明の詳細な説明】
【技術分野】
【０００１】  本発明は組み立て、組みなおしが簡単にできるように４ｃｍ角の木材に３方向より穴をあけてある。４ｃｍから４ｍ位いまで自由に使えるようにした部材である。
【背景技術】
【０００２】  従来の  家具は子供（家族）の成長と共に不要になり新しく必要な物を買い、不要な物は廃棄していた。
【発明の開示】
【発明が解決しようとする課題】
【０００３】  不要になった家具を解体して必要なサイズに切ったり補足してその時々に必要な家具に組み立てなおす。
【課題を解決するための手段】
【０００４】  本発明は組み立て、組み    なおしが簡単にできるように３方向からあらかじめ穴をあけた。
【発明の効果】
【０００５】  本発明により、子供（家族）の成長と共に変化しつづける家具でありガデニング用プランターまでなって廃棄できるため産業廃棄物と木材の間伐材の利用などのこうけんできる。
【発明を実施するための最良の形態】
【０００６】  図−１の▲１▼〜▲６▼のように（図−▲１▼の▲６▼は特許出願中の物を小さくする）３方向から穴をあらかじめあけた長さ４ｃｍ〜約４ｍまでの物を用いて▲５▼のコミセンで止めた不要の穴は▲６▼のかざり、めくらせんでふさいで利用する。
【産業上の利用可能性】
【０００７】子供の成長と共に変化して必要な物にかわっていくため産業廃棄物が出にくくなる。
【図面の簡単な説明】
【図１】  （１）  全体図  （２）  正面図（正面穴は横からの穴まで通す）  （３）（４）  側面図、上面図（穴は全て完通する）  （５）  コミセン  （６）  かざりめくら栓（不要な穴に入れる）
【図１】
2007075567.tif 000003
(57)【要約】      （修正有）【課題】野菜の芯や種やヘタなどの不要部の切り取りが、容易にできるナイフを提供する。【解決手段】ナイフの幅となる方向に円弧状に湾曲した略三角形の切刃部周縁に、切刃２と鋭利な先端を設け、連続する握柄３を備えた。【選択図】  図１
2007075568.tif 000002
【特許請求の範囲】
【請求項１】
ナイフの幅となる方向に円弧状に湾曲した略三角形の切刃部周縁に、切刃と鋭利な先端を設け、連続する握柄を備えたことを特徴とするナイフ。
【発明の詳細な説明】
【技術分野】
【０００１】  本発明は、野菜を切るナイフに関するものである。
【背景技術】
【０００２】  従来から、野菜を切る包丁があった。また、切刃を回転させ切り出す円筒刃を用いたもの（図７参照）、スプーンに切刃を設けたナイフ（特許文献１参照）（特許文献２参照）（特許文献３参照）（特許文献４参照）、柔らかい果実に用いるナイフ（特許文献５参照）があった。
【特許文献１】特開平８−５６８０１
【特許文献２】実用新案登録第３０４４２８３号広報
【特許文献３】特開２０００−１１６５５１号広報
【特許文献４】特開２００１−２５９２６１号広報
【特許文献５】実用新案登録第３１０２６４９号広報
【発明の開示】
【発明が解決しようとする課題】
【０００３】  従来から、野菜を切る包丁は平面の周縁に切刃が設けられている。このため通常に使用すると食べ物の切り出し面は基本的に平面となる、野菜にはそれぞれの位置に特有な芯や種やヘタがあり、不要部を切り取るのは切り方を工夫するなど面倒であり切り分けに時間を要した。【０００４】  切刃を回転させ切り出す円筒刃を用いたものは、円筒の直径と異なる寸法や形状の切り取りが難しく、特に浅く切り取るには手加減を要し使い勝手が悪かった。【０００５】  スプーンに切刃を設けたもの〔特許文献１〕〔特許文献２〕〔特許文献３〕〔特許文献４〕は、ナイフがスプーン形状のため掬い切る或いは押し切る方法しか用いることができず、突き刺したり回し切ることができず深い凹部を抉り取り切り出すことができなかった。【０００６】  柔らかい果実に用いるもの〔特許文献５〕は、先端部から根元にかけて円弧状とされた果物ナイフのため先端を野菜に突き刺して刺し切り横方向に回し切ることができなかった。
本発明は、これらの問題点を解決するためになされたものである。
【課題を解決するための手段】
【０００７】  ナイフの幅となる方向に円弧状に湾曲した略三角形の切刃部を設ける。切刃部の周縁に切刃を設け先端には鋭利な先端を設ける。切刃部には連続する握柄を備える。以上を特徴とするナイフである。
【発明の効果】
【０００８】  先端を野菜に突き刺して刺し切り、続けて横方向に回し切ることができるため、切り取りたい異なる形状や異なる寸法の不要部を曲面で切り取り、深い凹部の抉り切りも浅い切り出しも容易にできるため、野菜の芯や種やヘタの切り取りにきわめて便利なナイフができる。
【発明を実施するための最良の形態】
【０００９】  以下、本発明の実施の形態について説明する。
鋭利に尖った先端を頂点とする略三角形の切刃部（１）の周縁に切刃（２）が設けられ、切刃部（１）はナイフの幅となる方向に円弧状に湾曲し形成されている。切刃部（１）は、連続する握柄（３）を備えている。鋭利な切刃部（１）と握柄（３）から成る、突き刺して回し切るナイフができる。
本発明は以上のような構成で、これを使用するときは、  握柄（３）を持ち、切刃部（１）を野菜の芯や種やヘタの脇から切り出す中心に向って突き刺し、続けて横方向に回し切り、野菜の不要部をナイフを回転させることにより曲面に抉り取り切り出すことができる。浅く突き刺しナイフを回せば刃形に合致する小さな略円錐形に、深く突き刺せば大きな略円錐形に繰り抜くことができ、ピーマンの種とヘタ取り、トマトのヘタ取りなどに最適なナイフができる。
ナイフの素材は、金属やセラミックを用いることができる。
【図面の簡単な説明】
【００１０】
【図１】本発明の斜視図
【図２】本発明の側面図
【図３】本発明の正面図
【図４】本発明の平面図
【図５】本発明のナイフを使用しピーマンを切る説明図
【図６】本発明のナイフを使用しトマトを切る説明図
【図７】従来の技術である円筒刃を用いたものの斜視図
【符号の説明】
【００１１】  １      切刃部
２      切刃
３      握柄
ａ      回し切る方向
【図１】
2007075568.tif 000003
【図２】
2007075568.tif 000004
【図３】
2007075568.tif 000005
【図４】
2007075568.tif 000006
【図５】
2007075568.tif 000007
【図６】
2007075568.tif 000008
【図７】
2007075568.tif 000009
(57)【要約】      （修正有）【課題】足裏を指圧したい時指圧したい箇所にゴムボールを押し当てる事が出来足裏押圧用具を提供する。【解決手段】伸縮性のあるサポーターや靴下１の足裏に接する部位にメッシュ袋２に取り付ける。指圧したい時は足首内側の入り口３からゴムボールを入れる。メッシュ袋の中のゴムボールを移動させる事でそれぞれの場所の指圧が集中的に出来る。【選択図】図２
2007075565.tif 000002
【特許請求の範囲】
【請求項１】
図１足裏押圧用具に使用する大中小ボール玉はゴムを使用する  ゴムボールの形は丸  丸いゴムボウルの中は真空にして真空の所に水を入れる
【請求項２】
図２足裏押圧ゴムボールは靴下の足裏に接する部位にメッシュ袋お取り付ける  ゴムボール入れは足の親指側のやや足首側にする
【請求項３】
図３のようなサポーターにメッシュ袋お取り付けゴムボール入口は足の親指側のやや足首側にする
【請求項４】
図３のようなサポーターに直接ゴムボールお入れて押圧も出来る  ゴムボールお自分の好きな場所に移動し押圧する事ができる  サポーターは伸縮性のある物
【発明の詳細な説明】
【技術分野】
【０００１】本発明は足裏押圧用具に関する。
【背景技術】
【０００２】従来は草履とか靴の中に突起物お取り付けている
【発明の開示】
【発明が解決しようとする課題点】
【０００３】急に足裏お指圧したいと思ったときに図３にあるような伸縮性のあるサポーターにゴムボール入れて起きていても寝ていても２４時間使用することが出来る靴下履いていても靴履いていても使用出来るものです
【課題を解決するための手段】
【０００４】足裏押圧用具は伸縮性のあるサポーターや靴下の足裏に接する部位にメッシュ袋を取り付ける指圧したい時図４に示したように足首内側の入り口からゴムボールを入れる指圧を止めたい時ゴムボールを取り出す指圧箇所に集中的に押圧することができる
【発明の効果】
【０００５】足裏指圧には今まで靴の中や草履に固定されていたが本発明の足裏押圧用具は指圧したい時夜昼２４時間押圧できゴムボールを移動する事により足の裏至る所を押圧出来る
【発明を実施するための最良の形態】
【０００６】今その解決手段を図面に追いながら説明すれば足の親指内側入り口からゴムボールを入れることで指圧したい箇所にあてがい集中的に指圧が出来る
【図面の簡単な説明】
【０００７】
【図１】足裏押圧用ゴムボール  大中小
【図２】足裏押圧用メッシュ袋付き靴下
【図３】足裏押圧用メッシュ袋付きサポーター
【図４】足裏押圧用サポーター
【符号の簡単な説明】
【０００８】
【図１】
１大ゴムボール径２センチ  ２中ゴムボール径１センチ  ３小ゴムボール径０，５センチ
【図２】
１靴下  ２メッシュ袋  ３ゴムボール入り口
【図３】
１足首用  ２メッシュ袋  ３ゴムボール入り口
【図４】
１足首用  ２メッシュ袋無し  ３ゴムボール入り口
【図１】
2007075565.tif 000003
【図２】
2007075565.tif 000004
【図３】
2007075565.tif 000005
【図４】
2007075565.tif 000006
(57)【要約】      （修正有）【課題】  滑らないグリップを提供する。【解決手段】 本発明品を装着する前は一般グリプと同じであるが滑らないゴルーフグリプを付けると手取り部分の突起により本製品の特徴が発生する。【効果】  ・突起が適正な握力を形成、バランス良いスイングが可能になる。・手と腕の不必要な力を抜き、体を楽にさせる。・手とグリプの間に発生する空間を密着させ安定的な姿勢を持たせる。・スイングの時、方向性を正確にさせて、スコアアップが出来る。【選択図】図２
2007075561.tif 000002
【特許請求の範囲】
【請求項１】
ゴルーフグリプにと突起部分を付け、すべり防止の効果を望む。
【発明の詳細な説明】
【発明の詳細な説明】
ゴルーフクラブのグリプを握っている手のすべりを防ぐためにゴルーフクラブのグリプエンドのところにゴム状態の突起部分がついたグリプをシャフトに付けることにより初心者でもグリプを握る時に力を入れなくても滑らないので簡単に安定したアドレスの構えに入ることが出来てゴルーフのスコアアップに役に立つゴルーフグリプの創案である。
【図面の簡単な説明】
【図１】  発明品の断面図
【図２】  発明品を使う時の例
【符号の説明】
１は前面          ２は後面        ３はゴーム突起
【図１】
2007075561.tif 000003
【図２】
2007075561.tif 000004
(57)【要約】      （修正有）【課題】シリンジを立ててカップ同様に使える様にする事で、経管栄養を施されている患者の薬剤懸濁に於ける衛生面、作業効率の改善を図る。【解決手段】シリンジ先端部を土台となる蓋に接続できるようにする。シリンジ内径を３．４〜３．６ｃｍとする事が、カップ同様に薬剤投入や温湯注入の使い勝手を良くする。栄養剤ルートへの注入時の握力負担は、許容範囲に収まるものと考えられる。内径が太くなった分だけ、シリンジは短くなっている。懸濁液量は５０〜６０ｍｌ程度で十分なため、最高用量を８０ｍｌとしてある。シリンジ先端部は、経鼻用の栄養剤ポート用と胃瘻・空腸瘻用の薬剤ポート用の２種類があり、図は経鼻用の栄養剤ポート用で、胃瘻・空腸瘻の栄養剤ポートとも接続は可能である。蓋の中には、シリコンラバー様のパッキンがあり、シリンジを蓋にねじ込む事で締まり、シリンジ内の液が漏れる事を防ぐ。【選択図】  図１
2007075570.tif 000002
【特許請求の範囲】
【請求項１】
先端部に蓋を接続する事で、立てたままで使える事を特徴とする蓋付きシリンジ
【発明の詳細な説明】
【技術分野】
【０００１】  本発明は、シリンジに関するものであり、先端部に蓋をつける事でシリンジが倒れず、カップとしても使えるようにしたものである。
【背景技術】
【０００２】  従来より、注射器をはじめとする注入器具として、シリンジが利用されている。
【特許文献】  不知
【発明の開示】
【発明が解決しようとする課題】
【０００３】  医療・介護の現場では、経口摂取が困難または不可能で、経管栄養を施されている患者が多数存在する。それら患者の薬剤は、殆どが懸濁状にした後、経管栄養ルートを用いて投与されている。その際、シリンジを使う場合が多々あるが、シリンジ先端を指で塞いだ後、シリンジ内で懸濁させるという非衛生的な手法をとっているか、若しくは一度カップで懸濁してからシリンジに吸い取っているのが大半である。【０００４】  本発明は、シリンジを立ててカップ同様に使える様にする事で、経管栄養を施されている患者の薬剤懸濁に於ける衛生面、作業効率の改善を図る事を課題とする。
【課題を解決するための手段】
【０００５】  この課題を解決するための請求項１の発明は、手放しでは使えないシリンジに、上台となる蓋を接続できるようにする事で、立てたまま使えるようになる点である。この蓋の内側には、シリンジ先端部のパッキンの役割を果たすシリコンラバー様のものがあり、シリンジ内の液が漏れる事を防ぐ。【０００６】  本発明により、シリンジを適宜立てたまま、カップの様に使う事が可能となる。
【発明を実施するための最良の形態】
【０００７】  図１は、シリンジ外筒と土台となる蓋を接続した側断面図である。シリンジ内径を３．４〜３．６ｃｍとする事が、カップ同様に薬剤投入や温湯注入の使い勝手を良くする。栄養剤ルートへの注入時の握力負担は、許容範囲に収まるものと考えられる。内径が太くなった分だけ、シリンジは短くなっている。懸濁液量は５０〜６０ｍｌ程度で十分なため、最高用量を８０ｍｌとしてある。シリンジ先端部は、経鼻用の栄養剤ポート用と胃瘻・空腸瘻用の薬剤ポート用の２種類があり、図１は経鼻用の栄養剤ポート用で、胃瘻・空腸瘻の栄養剤ポートとも接続は可能である。蓋の中には、シリコンラバー様のパッキンがあり、シリンジを蓋にねじ込む事で締まり、シリンジ内の液が漏れる事を防ぐ。【０００８】  図２は、シリンジ先端部が、胃瘻・空腸瘻用の薬剤ポート用のものである。先端部の長さに応じて、蓋の高さも変わっている。【０００９】  図３は、シリンジの内筒である。外筒同様、一般のものに比べて短くなっている。【００１０】  図４は、シリンジをカップ同様に使用する際の、シリンジ上部の除塵蓋の例である。懸濁を待つまでの間は放置状態にあり、異物の混入を防ぐ必要がある。除麈さえできれば、蓋にこだわる必要はないが、本蓋の場合、蓋をしたままで震盪懸濁する事もできる。【００１１】  簡易懸濁法では、４０〜５０℃の温湯を用いており、従来のシリンジの材質で対応できる。【００１２】  本発明に係る簡易懸濁用シリンジは、工業的に量産する事が可能と考えられ、産業上の利用可能性を有すると考えられる。
【図面の簡単な説明】
【００１４】
【図１】  土台となる蓋を接続し、立たせた状態の栄養剤ポート用シリンジ外筒の側断面図である。
【図２】  土台となる蓋を接続し、立たせた状態の薬剤ポート用シリンジ外筒先端部の側断面図である。
【図３】  簡易懸濁用シリンジの内筒の図である。
【図４】  土台となる蓋を接続し、立たせた状態にあるとき使用する、除塵蓋の図である。
【符号の説明】
【００１５】  符号なし。
【図１】
2007075570.tif 000003
【図２】
2007075570.tif 000004
【図３】
2007075570.tif 000005
【図４】
2007075570.tif 000006
(57)【要約】【課題】  送風機にて略飛行機形状や球状の物を空中に静止浮遊させる玩具は存在したが、垂直方向に風を吹き上げ、且つ、糸等の固定具を必要とする形態か、あるいは、糸等による単純な吊り下げによる静止浮遊であった。これでは浮かされている状態を表現しているだけで面白くない。【解決手段】  略飛行機形状や球状の物を垂直方向の風や糸等の固定具を使用せずに、水平に対し、プラス７５度からマイナス７５度の範囲に風をおくり、その風に乗るように自力で滑空、飛行を行わせ、あたかも空中に静止浮遊しているように見せられる。この玩具は風の方向を水平近くに傾けて、略飛行機形状や球状の物を空中に浮遊させるので、その物の真下には何もない状態を演出でき、視覚的面白さを表現できる。【選択図】          図１
2007075562.tif 000002
【特許請求の範囲】
【請求項１】
略飛行機形状や球状の物を空中に静止浮遊させる遊具において、水平に対しプラス７５度からマイナス７５度の範囲の方向に風を与え、略飛行機形状や球状の物が自力で滑空または飛行できるよう調整し、糸等の固定具を必要とせずに空中に静止しているようにみせる事を特徴とする。
【請求項２】
請求項１の範囲において、略飛行機形状や球状の物の位置や姿勢を検出し、その情報を元に風の方向や速度、または略飛行機形状の物の推進力や略球状の物の自転回転数を調整する機能を持つ事を特徴とする。
【発明の詳細な説明】
【０００１】この発明は略飛行機形状や球状の物を空中に静止浮遊させる玩具に関する。
【背景技術】
【０００２】      従来、略飛行機形状や球状の物を空中に静止浮遊させる遊具は存在したが、垂直方向に風を吹き上げ、且つ、糸等の固定具を必要とする形態か、あるいは、糸等による単純な吊り下げによる静止浮遊であった。これでは本来の略飛行機形状や球状の物の空力学による飛行とはほど遠い論理による浮遊であり、面白さに欠けていた。
【発明の開示】
【発明が解決しようとする課題】
【０００３】      略飛行機形状や球状の物を糸等の固定具を使用せずに、自力で空中に静止浮遊させる技術を発明することが必要である。
【課題を解決するための手段】
【０００４】  本発明の遊具は送風機によって、風を水平方向に対しプラス７５度からマイナス７５度の範囲に吹かせ、略飛行機形状や球状の物を相対的に滑空条件や飛行条件と同等の環境を整える事により、静止浮遊させる事ができるようにした。ただし、場合によっては略飛行機形状や球状の物の位置や姿勢を検出して、風の速度や方向を調整する必要がある。または、略飛行機形状や球状の物の位置や姿勢を検出して、略飛行形状の物の推進力や略球状の物の自転回転数を調整する必要がある。推進力とはプロペラ等の回転数や羽根の角度等である。
【発明の効果】
【０００５】  この玩具であれば、見ている人がどうして空中を静止しているのが理解できず、驚き等の感動を与える事ができる。
【発明を実施するための最良の形態】
【実施例】
【０００６】  図１に示すように送風機本体１から出る風の方向を水平に対し、プラス７５度からマイナス７５度の範囲に調整し、略飛行機形状２または球状の物を風上に向かって滑降させる。相対的に飛行しているのだが、周囲の空気が風と言う形で移動しているので、静止しているように見える。略飛行機形状でなくても、略球状であれば、翼と同様のコアンダ効果により揚力を発揮できるので、滑空と同条件で静止できる。また、回転を与える事によって更に揚力を増す事ができる。
この状態に保つには略飛行機形状や球状の物の重量、形状、大きさ等を調整し、なお且つ、風の速度、風量、断面積等を調整する必要がある。【０００７】  図２は略飛行機形状の物２に推進装置であるプロペラや角度調節できる羽根５を具備し、これらを外部から通信等で制御できる装置を具備した物である。この略飛行機形状の物２を位置検出装置３によって位置を検出し、その情報によって制御装置４が略飛行機形状の物２の推進装置であるプロペラの回転数や羽根５の角度等を調整する。さらにこの制御装置４は送風機本体にも指令を送り、送風機の風量、風速、風向等を調整する。これらのシステムにより、略飛行機形状の物２を静止させることができる。【０００８】  図３は送風機を見せない様にカモフラージュした実施例の断面図。この図は略球状の例を掲載している。図４はその斜視図。この様に演出する事により、見ている人はどうして空中に浮遊しているのか理解できず、不思議にみえるのである。【０００９】  下記に簡略化したモデルによる理論式を示す。略球状の例で式を構築した。飛行機形状の場合は、揚力を翼から算出すれば同様の結果が得られる。このモデルの球状の物を回転させることにより、揚力を更に大きくできることがわかる。
略球状の物理量の設定（径ｄ、重量Ｗ１）、
風の初速度と途中の速度（Ｖ０、Ｖ１）、風の角度（θ）
風の出口と球の距離（Ｘ）
風の流れが円錐状に広がると仮定し、初期（出口）の断面積、途中の断面積を規定（Ａ０、Ａ１）
球周辺の流れ内の圧力（ｐ１）、流れのない空間の圧力（ｐ）
2007075562.tif 000003
2007075562.tif 000004
【図面の簡単な説明】
【００１０】
【図１】本発明の実施例に係る、略飛行機状の物を空中に静止させる原理図。
【図２】同実施例に係る、制御系を主体としたシステム原理図。
【図３】同実施例に係る、送風機を見せないようにカモフラージュした実施例の図。
【図４】同実施例に係る、送風機を見せないようにカモフラージュした実施例の斜視図。
【符号の説明】
【００１１】  １…送風機本体、２…略飛行機形状の物、
３…位置検出装置、４…制御装置、
５…飛行機形状の物の羽根、６…略球状の物
７…送風機のカモフラージュ用容器、
【図１】
2007075562.tif 000005
【図２】
2007075562.tif 000006
【図３】
2007075562.tif 000007
【図４】
2007075562.tif 000008
(57)【要約】【課題】  本発明は、碁盤上の升目を天板に表示した基盤上に、少なくとも升目の数の駒を配置し、駒の裏面には１から１０の数字が表示されており、複数の参加者が神経衰弱のように２つの駒を裏返し、その合計数が１０になると駒をもらえ、その合計数によって勝敗を決めるルールに使用する、楽しみながら計算力と暗記力を向上させる計算ゲーム具に関するものである。【解決手段】  碁盤上の升目を天板に表示した基盤上に、少なくとも升目の数の駒を配置し駒の裏面には１から１０の数字が表示されており、複数の参加者が神経衰弱のように２つの駒を裏返し、その合計数が１０になると駒をもらえ、その合計数によって勝敗を決めるルールに使用する計算ゲーム具であって、上記駒は、すべて同色同模様で統一し、裏面に２つの駒の数字を足して１０となる組み合わせが複数できるように、１から１０の数字が表示されていることを特徴とする計算ゲーム具。【選択図】  図１
2007075549.tif 000002
【特許請求の範囲】
【請求項１】
碁盤上の升目を天板に表示した基盤上に、少なくとも升目の数の駒を配置し駒の裏面には１から１０の数字が表示されており、複数の参加者が神経衰弱のように２つの駒を裏返し、その合計数が１０になると駒をもらえ、その合計数によって勝敗を決めるルールに使用する計算ゲーム具であって、上記駒は、すべて同色同模様で統一し、裏面に２つの駒の数字を足して１０となる組み合わせが複数できるように、１から１０の数字が表示されていることを特徴とする計算ゲーム具。
【発明の詳細な説明】
【技術分野】
【０００１】本発明は、碁盤上の升目を天板に表示した基盤上に、少なくとも升目の数の駒を配置し、駒の裏面には１から１０の数字が表示されており、複数の参加者が神経衰弱のように２つの駒を裏返し、その合計数が１０になると駒をもらえ、その合計数によって勝敗を決めるルールに使用する、楽しみながら計算力と暗記力を向上させる計算ゲーム具に関するものである。
【背景技術】
【０００２】従来、教授用計数器として、マグネット類を利用して教えるものや、珠や数え棒・おはじきセットやカード類などの道具があった。また、遊び方としてはトランプで神経衰弱という遊び方があった。
【発明が解決しようとする課題】
【０００３】  そのために、次のような問題点があった。
（イ）計数器を使って教えるものが多く、主体的に楽しみながら覚えていくことができなかった。
（ロ）トランプの神経衰弱は、どれだけたくさんとることができるかだけのゲームであった。
【課題を解決するための手段】
【０００４】碁盤上の升目を天板に表示した基盤上に、少なくとも升目の数の駒を配置し、駒の裏面には１から１０の数字が表示されており、複数の参加者が神経衰弱のように２つの駒を裏返し、その合計数が１０になると駒をもらえ、その合計数によって勝敗を決めるルールに使用する計算ゲーム具であって、上記駒は、すべて同色同模様で統一し、裏面に２つの駒の数字を足して１０となる組み合わせが複数できるように、１から１０の数字が表示されていることを特徴とする計算ゲーム具である。
【発明の効果】
【０００５】ゲームを楽しみながら、計算力や暗記力が自然に身に付くものである。また老人のボケ防止に役立つものである。
【発明を実施するための最良の形態】
【０００６】  以下、本発明の実施の形態について説明する。
（イ）長方形の基盤（１）上面に６本の縦枠（４）と横９本の横枠（３）によって４０の四角い升目（５）を表示する。
（ロ）裏面に１〜１０の数字が表示された同色同模様で統一された１０個の駒（２）を４組具備する。なお、駒（２）の数は、升目（５）の数に対応したもので、４組に限定されるものではない。
本発明は以上のような構成で、これを使用するときは、長方形の基盤（１）の升目（５）の上に円形の駒（２）を不規則に並べて置き、２人以上の人数でゲームを行う。
１人が２枚の駒をめくる。足し算をして１０になったらその駒をもらい、続けて駒をめくることができる。
【図面の簡単な説明】
【０００７】
【図１】本発明の全体を示す斜視図
【図２】本発明の円形の駒の裏面図
【符号の説明】
【０００８】  １  基盤
２  駒
３  横枠線
４  縦枠線
５  升目
【図１】
2007075549.tif 000003
【図２】
2007075549.tif 000004
(57)【要約】【課題】  手の届きにくい背中にクリーム、ローション、かゆみ止め、日焼け止めなどを自分一人で塗ることができること。【解決手段】  柄の先に、柔軟性とクッション性のある器具を設ける。この器具は固定と回転に使いわけができ、回転させることにより面積の広い背中全体にクリームなどを塗りやすくすることができる。そして、固定状態にカット綿取り付けをしてローションなどの液体も塗ることができ、パッティングもすることができるものである。【選択図】図１
2007075548.tif 000002
【特許請求の範囲】
【請求項１】
柔軟性とクッション性のある柄付き背中手入れ器。
【請求項２】
肌に接触する部分が、固定と回転、カット綿取り付けができる背中手入れ器。
【発明の詳細な説明】
【技術分野】
【０００１】  本発明は、一人で背中の手入れができる器具である。
【背景技術】
【０００２】  手の届かない背中に使うものには、ボディブラシや孫の手がある。
【発明の開示】
【発明が解決しようとする課題】
【０００３】  自分一人では、手の届きにくい背中にクリームやローションなどを塗ることを目的としたものである。
【課題を解決するための手段】
【０００４】  本発明は、上記目的を達成するために背中に届くように柄をつけ、皮膚に接触する部分には、スポンジと合皮を組み合せ、皮膚へ負担をかけないようにしたものである。【０００５】  また、柄の先につけたスポンジと合皮組み合せ部分は、固定と回転する仕組みになっているため、背中全体の手入れをする時と部分的にクリームなどを塗る時で使い分けができる。そしてローションなど液体を塗る場合にはカット綿を取り付けることができる。
【発明の効果】
【０００６】  上述したように本発明の器具は、手の届きにくい背中の手入れを一人ですることができ皮膚への負担も少なく、柄の先が固定、回転、カット綿取り付けと三通りの使い分けができることにより、背中の手入れがしやすくしてある。
【発明の実施するための最良の形態】
【０００７】  以下、本発明の実施の形態を図１〜図４に基づいて説明する。
【０００８】  図１の１は、背中に接触する部分であり、スポンジと合皮で作られている。図１では１が固定してある状態である。３はバネの仕組みにより上下移動し、器具を固定するための止めになる。柄に固着してある４と、１と一体になっている２が重なり、３の止めが２の同型の穴に差し込まれ固定することができる。
【０００９】  図２は、１が回転する状態である。３の止めをはずし、２と４を離すことにより回転する。回転で使用する際、２と４が固定状態にならないよう３が２と４の重なりを防ぐようになっている。
【００１０】  図３は、カット綿を取り付けられるようにしたものである。図１にある柄の持ち手部分の６は取り外すことができ、カット綿を押さえるものである。図３の４に固着してある５に６をはめこみ、反対側も同様に図４にある５に６をはめこみカット綿の取り付けをする。
【００１１】  図５は、１の断面図であり、肌に直接触れる部分ということを考慮し、１ａは合皮、２ａはスポンジのため柔らかくクッション性がある。３ａは回転させるため筒状のプラスチックが柄に通してある。
【００１２】  以上、上記構成の使用方法を説明する。１を固定することにより背中の部分的な箇所にクリームやかゆみ止めなどを塗ることができる。また回転させることにより背中全体にクリームや日焼け止めなどを塗ることができる。さらに６の止めを使い、カット綿を取り付け、１の固定をすることによりローションなどの液体を塗りパッティングすることができるものである。
【図面の簡単な説明】
【００１３】
【図１】    本発明の実施形態を示す背中手入れ器の外観図
【図２】    同背中手入れ器の図１の１を回転させるしくみの外観図
【図３】    同背中手入れ器の図１の１にカット綿を取り付けるしくみの外観図
【図４】    同背中手入れ器の図３における後方から見た外観図
【図５】    同背中手入れ器の部分断面図
【符号の説明】
【００１４】  １    固定、回転兼用背中手入れ器本体
６    カット綿取り付け用押さえ
１ａ  合皮
２ａ  スポンジ
【図１】
2007075548.tif 000003
【図２】
2007075548.tif 000004
【図３】
2007075548.tif 000005
【図４】
2007075548.tif 000006
【図５】
2007075548.tif 000007
(57)【要約】【課題】ペーパーの引出ししろを確保し、その引出しを容易にする。【解決手段】ペーパーホルダーに、空間を作り、その空間を利用し、ホルダーされているものを、回転させて、引出ししろを確保する。その空間は、その目的を達成出来ることを前提として、種々の、形状、大きさで形成させて、視覚的にも、それぞれの好みを満足させることを特徴とする。【選択図】  図１
2007075550.tif 000002
【特許請求の範囲】
【請求項１】
ホルダーの蓋に空間を有する空間蓋であって、その空間を利用することによって，蓋によって支えられている物品を、動かすことが出来ることを特徴とする空間蓋。
【請求項２】
前記蓋の空間は、様々な形状にすることによって、視覚的にも，多様性をもたせることを、特徴とする請求項１記載の空間蓋。
【発明の詳細な説明】
【技術の分野】
【０００１】本発明は、トイレのペーパーホルダーの蓋に使用されている、合成樹脂製、鋼鉄製、その他ペーパーホルダーの蓋に関する。
【背景技術】
【０００２】従来の、トイレのペーパーホルダーの蓋は，様々な形の製品が、生産、使用されているが、それらは構造的には、単なる蓋である。【０００３】ペーパーホルダーの蓋の機能は、蓋の役目の他に、ペーパーを切断するときの，押えの役目も果たしているが、それ以外の機能を有する訳ではない。
【発明の開示】
【発明が解決しようとする課題】
【０００４】上述の如く、ペーパーホルダーの蓋は  ，蓋の役目と、ペーパーを切断するときに，押えの役目に有効に働く機能であり，次にペーパーを引き出す時の，利便さの確保は難しい。
その為  次のペーパーの、取り出しが簡便に行なえない不便さがある。【０００５】本発明は、このような点に鑑みて成されたものであり，次のペーパーを容易に引き出すことが、出来るようにすることにある。
【課題を解決するための手段】
【０００６】上述の目的を達成する空間蓋は、ペーパーホルダーの蓋に、穴を明けることによって、その穴を利用して、ホルダーされているペーパーを回転させて，取出ししろを確保することにある。
【発明の効果】
【０００７】以上説明したように、ペーパーホルダーに，穴を明けることによって、その穴を利用してペーパーを回転させ，引き出ししろが，簡単に確保できる。
【発明を実施するための最良の形態】
【０００８】ペーパーホルダーの，蓋の空間の形状は、種々の形、大きさで、視覚的にも、美観、遊びを持たせ、なおかつ、その目的が達成出来るものとする。
【図面の簡単な説明】
【０００９】
【図１】ペーパーホルダーの外観図
【符号の説明】
【００１０】１、      ペーパーホルダー
２、      ペーパーホルダー蓋の空間
【図１】
2007075550.tif 000003
(57)【要約】【課題】従来のスリッパ及びサンダルのインソール部分は、スリッパ及びサンダル本体のアウトソールと一体化もしくは、固定されているため、他のインソールを装着することが安易にできなかった。【解決手段】スリッパ及びサンダルにインソールを装着可能なスペースを設ける。【選択図】図１
2007075555.tif 000002
【特許請求の範囲】
【請求項１】
さまざまな、「インソール」が装着可能なスペースを有することを特徴とするスリッパ及びサンダル。
【発明の詳細な説明】
【技術分野】
【０００１】  この発明は、スリッパ及びサンダルの形状に関する。
【背景技術】
【０００２】  従来のスリッパ及びサンダルのインソールは、スリッパ及びサンダル本体のアウトソールと一体化もしくは、固定されている。
【発明の開示】
【発明が解決しようとする課題】
【０００３】しかしながら、以上の技術によれば、インソールを取り外し、他のインソールと交換することができない。  そこで、この発明は、さまざまなインソールを装着できるスペースを有するスリッパ及びサンダルを提供することを課題とする。
【課題を解決するための手段】
【０００４】  以上の課題を解決するために、第一発明は、スリッパ及びサンダル自体にさまざまなインソールを装着できるスペースを設けたことを特徴とするスリッパ及びサンダルである。
【発明の効果】
【０００５】  この発明によれば、スリッパ及びサンダルにインソールを装着できるスペースを設けたので、さまざまなインソールをスリッパ及びサンダルに装着し使用できる。
【発明を実施するための最良の形態】
【０００６】  この発明の一実施形態を、図１に示す。
スリッパ及びサンダルの本体１には、インソールを安易に装着できるスペース２とインソールを固定できるだけの立ち上がり３を設けている。【０００７】「実施形態の効果」
この実施形態によれば、装着したインソールが安易に外れることが無く、さまざまなインソールを装着したスリッパ及びサンダルとして使用できる。
【図面の簡単な説明】
【０００８】
【図１】この発明の一実施形態を示す斜視図である。
【符号の説明】
【０００９】１  スリッパ本体      ２  スペース      ３  立ち上がり
【図１】
2007075555.tif 000003
(57)【要約】【課題】  コップを洗った後の内部に少し残った水を除去するためのもので、ガラスコップ、陶磁器コップ、アルミコップ、プラスチックなど様々な種類のコップを使用することができ、垂れ落ちた水は溜まることなく、洗面の排水に自然に流れて行くことができる水切りコップ台を提供する。【解決手段】コップを載せる台であって、台の表面が傾斜面になっており、その台の表面上にコップを載せる凸部を設け、平行する凸部の上方にコップ滑り止め部を有すると共に、排水口を除き台の表面外周部に水止め外周部を設け、台の裏面上方部に支柱部を設けていることを特徴とする水切りコップ台。【選択図】      図１
2007075559.tif 000002
【特許請求の範囲】
【請求項１】
コップを載せる台であって、台の表面が傾斜面になっており、その台の表面上にコップを載せる凸部を設け、平行する凸部の上方にコップ滑り止め部を有すると共に、排水口を除き台の表面外周部に水止め外周部を設け、台の裏面上方部に支柱部を設けていることを特徴とする水切りコップ台。
【請求項２】
平行する凸部の下方にコップ滑り止め部を設けていることを特徴とする請求項１記載の水切りコップ台。
【請求項３】
台の裏面上方部に支柱部を設けず、本体全体の傾斜角により、傾斜面を形成していることを特徴とする請求項１記載の水切りコップ台。
【発明の詳細な説明】
【技術分野】
【０００１】  この発明は、コップを洗った後の内部に少し残った水を除去するための、水切り台に関するものである。
【背景技術】
【０００２】  現在、コップを洗った後の内部に少し残った水を除去する方法としては、コップを逆さまにして洗面に置く方法が一般的であるほか、コップの取っ手下方部分に吊り下げできる孔状部分を付設し、壁などにフックで逆さまに掛けて残った水を除去する方法がある。【０００３】
【特許文献１】登録実用新案第３０６３１６２号
その他、コップ本体の開口部を下向きにして傾斜させて起立できる支持台部をコップの取っ手に設けて残った水を除去する方法もある。【特許文献１】登録特許第２９５５８５２号
また、コップ等の飲用容器あるいは刺身、天ぷらの汁や油などを凹凸のある皿に乗せることにより、上に乗せた物の液体成分が流れ落ちて凹部に溜まり、溜まったものを手動で除去する方法もある。【特許文献１】特開平１１−２１６０５５
上記以外にもコップを倒立状態で支持するコップ支持具も知られている。
【発明の開示】
【発明が解決しようとする課題】
【０００４】  コップの取っ手下方部分に吊り下げできる孔状部分を付設し、壁などにフックで逆さまに掛けて残った水を除去する方法など様々なものがあるが、コップ自体に仕掛けがあり、市販されているガラスコップ、陶磁器コップ、アルミコップ、プラスチックなど様々なコップを使用することができない。そして、コップを倒立状態で支持するコップ支持具を用いてするものもあるが、コップの形状や重量があるものはコップ支持具を使用することができない。また、コップ等の飲用容器などを凹凸のある皿に乗せ、上に乗せた物の液体成分が流れ落ちて凹部に溜まり、除去する方法もあるが、溜まった液体成分を手動で除去しなければいけないため手間がかかる。【０００５】  本発明は、ガラスコップ、陶磁器コップ、アルミコップ、プラスチックなど様々な種類のコップを使用することができ、垂れ落ちた水は溜まることなく、洗面の排水溝に自然に流れて行くことができる水切りコップ台を提供する。
【課題を解決するための手段】
【０００６】  本発明の水切りコップ台は、台の表面が傾斜面になっており、その台の表面上にコップを載せる凸部を設け、平行する凸部の上方にコップ滑り止め部を有すると共に、排水口を除き台の表面外周部に水止め外周部を設け、台の裏面上方部に、傾斜角を付けるための支柱部を設けている。または、平行する凸部の下方にコップ滑り止め部を設けていることでもよい。そして、台の裏面上方部に支柱部を設けず、本体全体の傾斜角により、傾斜面を形成することでもよい。その他、台の表面の傾斜面が緩いものであれば、コップ支持凸部にコップ滑り止め部を設けないことでもよい。
【発明の効果】
【０００８】  本発明は以上のように、市販されているガラスコップ、陶磁器コップ、アルミコップ、プラスチックなど様々な種類のコップを使用することができ、水切りコップ台に置くだけでコップから垂れ落ちた水は溜まることなく、自然に洗面の排水溝に流れて行くことができる。
【発明を実施するための最良の形態】
【０００９】  台の表面が傾斜面になっているが、傾斜面の角度が大きすぎるとコップが落下する恐れがあるため、コップが落下せず、水が流れ落ちる角度、２０度前後が最適である。また、コップを載せる平行する凸部の幅は、コップの口よりもやや狭く、そして逆に狭すぎてもコップを載せたときに不安定になる恐れがあるため、コップを載せる平行する凸部の幅は３０ｃｍ前後が最適である。
【実施例】
【００１０】  発明の実施の形態を実施例にもとづき図面を参照して説明する。図１は、本発明の使用状態の説明図である。洗面台の淵に水切り台を吸盤で固定することにより傾斜面になり、平行する凸部の上方にコップ滑り止め部にコップを掛け、コップから垂れ落ちた水が溜まることなく、自然に洗面の排水に流れ落ちている状態である。【００１１】  図４は、請求項２記載の水切りコップ台の斜視図である。平行する凸部の下方にコップ滑り止め部を形成し、コップから垂れ落ちた水が溜まることなく、自然に洗面の排水に流れ落ちている状態である。
【図面の簡単な説明】
【図１】本発明のコップを載せている水切りコップ台の斜視図
【図２】本発明の水切りコップ台の斜視図
【図３】本発明の水切りコップ台の側面図
【図４】請求項２記載のコップを載せている水切りコップ台の斜視図
【図５】請求項２記載の水切りコップ台の斜視図
【図６】請求項３記載の水切りコップ台の側面図  本発明の使用状態の説明図
【符号の説明】
１  本体
２  傾斜面
３  コップを載せる凸部
４  コップ滑り止め部
５  排水口
６  水止め外周部
７  支柱部
８  吸盤
９  コップ
【図１】
2007075559.tif 000003
【図２】
2007075559.tif 000004
【図３】
2007075559.tif 000005
【図４】
2007075559.tif 000006
【図５】
2007075559.tif 000007
【図６】
2007075559.tif 000008
(57)【要約】【課題】  病人はベッド上で頻繁にティッシュを使用する場合が多いが、サイドテーブル上には手が届きにくいので、ティッシュの置き場所に困ることが多く不便であった。  ベッド上でティッシュを便利に使用できる手軽な器具が求められた。【解決手段】  本発明は、金属直棒材の中央を折り返した両辺を、コ字形状に曲げ成形してなることを特徴とするベッド取り付け用のティッシュスタンドである。  頭部近辺ベッドサイドに縦立させた本ティッシュスタンド上辺を、口を下向きにしたティッシュ箱両側面の糊代隙間に挿入すると、ティッシュ箱はベッド上に保持され、ティッシュは片手で容易に引き出すことができる。  金属棒材だけの極めて単純な曲げ成形体であることから、低コストで廃棄による環境問題も少ないので、手軽に使用でき、使い捨てにも適している。【選択図】  図２
2007075551.tif 000002
【特許請求の範囲】
【請求項１】
１本の金属直棒材の折り曲げ成形体であって、中央を折り返した両辺に、両底辺、両底辺より立ち上がる両立辺、両立辺より平行対峙する両上辺を、順にコ字形状に、かつ対称形に形成してなる特徴を有するティッシュスタンド。
【発明の詳細な説明】
【技術分野】
【０００１】  本発明は、ティッシュをベッド上で便利に使用するティッシュスタンドに関する。
【背景技術】
【０００２】  一般に、病人はベッド上でティッシュを使用する場合が多く、特定の病気においては頻繁である。病人は、身動き困難な場合も多い。【０００３】  この場合、サイドテーブル上のティッシュには寝ている状態では手が届きにくい場合が多く、使用に極めて不便で、介護人の手助けを要する場合も生じた。【０００４】  ティッシュをベッドで便利に使用するためのティッシュのホルダーに関して、本発明の出願者による先願（特許文献１参照）がある。【０００５】  これは、ティッシュを保持する架台と、架台をベッド上に支持するベッドへの取り付け脚からなる。【０００６】  この先願では、製造コスト上や環境問題上から、短期間手軽に使用して使い捨てしたい場合には適さないという欠点があった。【０００７】
【特許文献１】  特願２００５−２１９５６８
【発明の開示】
【発明が解決しようとする課題】
【０００８】  ベッド上の病人がティッシュを便利に使用できるための、手軽で使い捨てに適したベッド取り付け用のティッシュスタンドを提供する。
【課題を解決するための手段】
【０００９】  本発明は、上記先願におけるところのティッシュ箱を保持する架台を不要とするものである。【００１０】  本発明は、図１のように、１本の金属直棒材の折り曲げ成形体であって、中央を折り返した両辺に、両底辺、両底辺より立ち上がる両立辺、両立辺より平行対峙する両上辺を、順にコ字形状に、かつ対称形に形成してなる特徴を有するティッシュスタンドである。
【発明の効果】
【００１１】  図２に示すごとく、本発明のティッシュスタンド１は、両底辺２、２′を、ベッド台座７とマットレス６間に挿入すると、両立辺３、３′はベッド側面に縦立し、両上辺はベッドと平行して互いに平行対峙する。病人の頭部近辺の最適位置に定着して使用する。【００１２】  ティッシュ箱５の口を下方に向け、両側面糊代間の両隙間に、ティッシュスタンド１の両上辺４、４′を挿入すると、ティッシュ箱５はベッド上に保持され、ティッシュを下方に片手で容易に取り出すことができる。【００１３】  前記先願と較べて、金属棒材だけの極めて単純な折り曲げ成形体であることから、低コストで、廃棄による環境問題も少ないので、手軽に使用でき、使い捨てに適した利点がある。
【発明を実施するための最良の形態】
【００１４】  図１は、基本実施形態で、１本の金属直棒材の折り曲げ成形体であって、中央をＶ字形状に折り返した両辺に、両底辺２と２′、両底辺より立ち上がる両立辺３と３′、両立辺より平行対峙する両上辺４と４′を、順にコ字形状に、かつ対称形に形成してなる特徴を有するティッシュスタンドである。
【実施例】
【００１５】  図３は、図１の基本実施形態における金属棒材の中央のＶ字形状折り返しを、Ｕ字形状折り返しとした１実施例である。
【図面の簡単な説明】
【００１６】
【図１】本発明の基本実施形態の立体図
【図２】本発明の使用外観図
【図３】本発明の１実施例の立体図
【符号の説明】
【００１７】１  ・・・・・・・・・・ティッシュスタンド
２、２′  ・・・・・・・底辺
３、３′  ・・・・・・・立辺
４、４′  ・・・・・・・上辺
５  ・・・・・・・・・・ティッシュ箱
６  ・・・・・・・・・・マットレス
７  ・・・・・・・・・・ベッド台座
【図１】
2007075551.tif 000003
【図２】
2007075551.tif 000004
【図３】
2007075551.tif 000005
(57)【要約】【課題】狭い場所でも使うことができ、容量が大きく、清潔で、洗い上がった洗濯物を、予め、大まかに、仕分けることができる洗濯物搬送袋（従来の洗濯カゴに相当）を通し、洗濯物を干すという一連の作業の、心理的、労力的負担を軽減し、家事の効率化を図る。【解決手段】洗濯物搬送袋は、ネット地や布地等（１）を素材にして作り、中を複数のポケットに仕切った（２）袋状の入れ物とする。搬送袋の上面には洗濯物の出し入れや、持ち運びの際に、引っ掛けたり、ぶら下げたりするための引き手（３）を、数個、付けておく。嵩張ることがないから、容量を大き目にしても、狭い場所で支障をきたすことはない。また、この洗濯物搬送袋自体が汚れた場合は、洗濯することもできるし、使用後は、折りたたんだり丸めたりして、コンパクトに保管できる。【選択図】  図２
2007075558.tif 000002
【特許請求の範囲】
【請求項１】
ネット地や布地等、洗濯できる素材によって作られ、内部が複数のポケットに仕切られていて、洗い上がった洗濯物を、洗濯機から取り出す際に、その種類に応じ、大まかに仕分けができるよう配慮された、折りたたみのできる洗濯物搬送袋。
【発明の詳細な説明】
【発明の詳細な説明】
【産業上の利用分野】
【０００１】この発明は、洗い上がった洗濯物を入れて運ぶ袋に関するものであり、従来の洗濯カゴに相当する。
【背景技術】
【０００２】従来の洗濯カゴは、プラスチック等でプレス加工された、単槽のカゴ状の物が、ほとんどである。
【発明が解決しようとする課題】
【０００３】１．今日の住宅事情から、一般に、広くはない洗濯場に於いて、従来の洗濯カゴは、容量の割に非常に嵩張り、置き場にも困るのが実状で、十分な容量のカゴが、使用できないでいる場合が多い。
２．従来の洗濯カゴは、単槽であるものがほとんどで、洗濯機の中で混じりあった、種類の異なる洗濯物が、仕分けされないまま、カゴに移されるのが現状であり、物干し場で分けながら干すのは、作業をする者にとって大きな負担であるとともに、作業効率も悪い。
３．綿ぼこり等が付着して、洗濯カゴ自体が汚れるという現象も、多々見受けられる。
【課題を解決するための手段】
【０００４】洗濯カゴを、たとえば、洗濯ネットに使われる素材や、布地等で作り、複数のポケットに仕切られた袋状の入れ物とする。
【発明を実施するための最良の形態】
【０００５】本発明の実施の一例について説明する。
ネット地や布地等（１）を使い、三角形の平面形（５）をし、中を複数のポケットに仕切った（２）袋状の入れ物を作る。三角形の３つの頂点には、引き手（３）をつけておく。引き手（３）のうちの２つを、洗濯機や、壁に取りつけたフック等（４）に引っ掛け、残りの一端を手で引きながら、洗濯機から取り出した洗濯物を種類ごとに仕分けながら、中に、放り込む。洗濯物を移し終えたら、引っ掛けてある引き手（３）を外し、そのまま、物干し場へ持って行く。使い終わった袋は、丸めたり、折りたたんだりして保管する。
【発明の効果】
【０００６】洗い上がった洗濯物を洗濯機より取り出す際、洗濯物を、予め、数種類に仕分けすることができるので、干す作業をストレスなく効率的に進めることができる。また、素材が、ネット地等である為、汚れたら洗うことができるし、嵩張ることもないから、大きな容量の入れ物とすることができる。狭い通路でも、持ち運びやすいし、使用後は、コンパクトに丸めておけるので、収納場所にも困らない。
【図面の簡単な説明】
【図１】本発明の平面図である。（洗濯機は参考に描き込んだもの）
【図２】本発明の斜視図である。（洗濯機は参考に描き込んだもの）
【符号の説明】
１  ネット地や布地等
２  （複数のポケットに）仕切った・・・
３  引き手
４  （洗濯機や壁に取りつけた）フック等
５  三角形の平面形
【図１】
2007075558.tif 000003
【図２】
2007075558.tif 000004
(57)【要約】      （修正有）【課題】縮毛矯正及びストレートにしたい人の髪の毛を簡単に片手だけで、ストレートに出来る、櫛付きの電気ストレートアイロンの提供。【解決手段】２本の高熱ヒ−ト（イ）の片側１本の両側面に、櫛（ロ）を２本付ける事により、片手で挟むだけで、とかしながら綺麗なストレートに出来ます。【選択図】図１
2007075573.tif 000002
【特許請求の範囲】
【請求項１】
（１）  髪の毛に用いる電気ストレートアイロンの髪をはさむ部分に２本の高熱ヒートプレートがあります。片側１本に２本の櫛を付けます。１本の高熱ヒートプレートの両側面に、頭皮に直接高熱ヒートプレートが接触しないために、１．５ｍｍから２ｍｍほどの隙間が開いています。その部分に高熱ヒートプレートに対して直角に本体との延長で櫛を付けます。櫛は、１本が太さ１．５ｍｍ程のくしを１ｍｍ間隔で付けます。櫛１本の長さは、６ｍｍから７ｍｍで挟んだときに、片側の本体にあたらない程度です。櫛全体の長さは、高熱ヒートプレートが８．５ｃｍなのでそれよりも少し長い９．５ｃｍです。電気ストレートアイロンに櫛が付く事を、特許として請求いたします。
【発明の詳細な説明】
【技術分野】
【０００１】本発明は、縮毛矯正及びストレートにしたい人の髪の毛を簡単に片手だけで、ストレートに出来る、櫛付きの電気ストレートアイロンです。
【背景技術】
【０００２】従来の電気ストレートアイロンには、業務用の縮毛矯正の手術の時に、熱処理で縮毛矯正をするストレートアイロンがあります。（例えば特許文献１，２参照。）
【特許文献１】登録番号４３５５１６９  アンティエストレートアイロン
【特許文献２】登録番号４５３１２０８  クリスタライジングストレートアイロン
【開発の開示】
【発明が解決しようとする課題】
【０００３】従来の電気ストレートアイロンは、縮毛矯正の施術の際に片手で電気ストレートアイロンを持ち、もう片方の手で櫛を持ち、髪を平行に電気ストレートアイロンに通して、電気ストレートアイロンの熱処理によりストレートの髪に固定されますが、技術的にもこのような作業は難しく、手間もかかります。家庭用のストレートアイロンも持っている人は、多数いますが、大半の人が上手くストレートに出来ないと言います。それは、自分で電気ストレートアイロンを使うときに櫛で抑えることは難しく、くしゃくしゃの髪の毛を、電気ストレートアイロンに通しているので、髪を真っ直ぐな状態には出来ないのです。
【課題を解決するための手段】
本来、髪を真っ直ぐにしたい人が、使う電気ストレートアイロンですが、髪を櫛で押さえて電気ストレートアイロンの本体に、髪を通させなくては、髪を真っ直ぐな状態には出来ません。そこで、２本の高熱ヒートの片側１本の両側面に、櫛を２本付ける事により、片手で挟むだけで、とかしながら綺麗なストレートに出来ます。
【発明の効果】
本発明により、理容室・美容室の業務用の縮毛矯正も、電気ストレートアイロンを片手で簡単に出来るので、施術時間が大幅に短縮されることは間違いありません。市場の販売でも誰でも簡単に、髪を挟むだけで、とかしながら綺麗なストレートにすることが出来ます。
【発明を実施するための最良の形態】
【実施例１】髪の毛に用いる電気ストレートアイロンの髪をはさむ部分に２本の高熱ヒートプレートがあります。片側１本に２本の櫛を付けます。１本の高熱ヒートプレートの両側面に、頭皮に直接高熱ヒートプレートが接触しないために、１．５ｍｍから２ｍｍほどの隙間が開いています。その部分に高熱ヒートプレートに対して直角に本体との延長で櫛を付けます。櫛は、１本が太さ１．５ｍｍ程のくしを１ｍｍ間隔で付けます。櫛１本の長さは、６ｍｍから７ｍｍで挟んだときに、片側の本体にあたらない程度です。櫛全体の長さは、高熱ヒートプレートが８．５ｃｍなのでそれよりも少し長い９．５ｃｍです。また、高熱ストレートアイロンに櫛が付くことにより、本体の高熱ヒートプレートの２本の幅が狭くなりますので、今までは、高熱ヒートプレート２本が開いた時の幅が３ｃｍですが、今よりも１ｃｍ広げて４ｃｍの幅があれば、髪を挟む際に櫛が髪に引っ掛かる事はありません。
【図面の簡単な説明】
【図１】側面図  開いた状態
【図２】側面図  閉じた状態
【図３】断面図  閉じた状態  イ・高熱ヒートプレート  ロ・櫛  ハ・電気ストレートアイロン本体
【図１】
2007075573.tif 000003
【図２】
2007075573.tif 000004
【図３】
2007075573.tif 000005